(57)【要約】  波動歯車装置（１）において、可撓性の外歯歯車（３）の内周面部分（１６）に接する波動発生器（４）の外輪外周面（２７）が接している外歯歯車の内周面部分（１６）には、外輪外周面（２７）に接触しない逃がし溝（３０）が形成されている。逃がし溝（３０）は、ボール軌道溝（２８）を包含する領域に形成されている。逃がし溝（３０）の溝深さは、溝幅方向の両側の溝端から、溝幅方向の途中に設けた溝最深部（３４）に向かって、漸増している。逃がし溝（３０）を設けることにより、外歯歯車（３）に作用する波動発生器（４）の押圧力の歯筋方向の分布をなだらかにできる。外歯歯車（３）の歯底疲労強度、伝達トルク容量を向上できる。
2019030843.tif 000002
【特許請求の範囲】
【請求項１】
剛性歯車と、
前記剛性歯車にかみ合い可能な可撓性歯車と、
前記可撓性歯車を非円形に撓めて前記剛性歯車に部分的にかみ合わせると共に、かみ合い位置を円周方向に移動させるために、剛性プラグと、前記可撓性歯車と前記剛性プラグの間に装着されるウエーブベアリングとを備えた波動発生器と、
前記可撓性歯車と前記ウエーブベアリングとの間の面接触部分に形成した円周方向に延びる１条の逃がし溝と
を有しており、
前記ウエーブベアリングは、一対の可撓性の軌道輪と、これらの間に装着された複数のボールを備えて、前記軌道輪の一方は、前記可撓性歯車との間で前記面接触部分を形成している第１軌道輪であり、
前記逃がし溝は、前記可撓性歯車および前記第１軌道輪のうち、少なくとも、前記第１軌道輪の前記可撓性歯車に接触する外周面に形成されており、
前記逃がし溝は、前記面接触部分において、前記第１軌道輪に形成されているボール軌道溝に対応する領域、あるいは当該領域を包含する領域に形成されており、
前記逃がし溝の溝幅は、前記ボール軌道溝の軌道幅と同一あるいは当該軌道幅よりも広く、
前記逃がし溝の溝深さは、溝幅方向の両側の溝端から、前記溝幅方向の途中に設けた溝最深部に向かって、漸増している波動歯車装置。
【請求項２】
請求項１において、
前記剛性歯車は内歯歯車であり、
前記可撓性歯車は、前記内歯歯車の内側に同軸に配置した外歯歯車であり、
前記波動発生器は、前記外歯歯車の内側に同軸に配置されており、
前記第１軌道輪は外輪であり、
前記面接触部分は、前記可撓性歯車の内周面と前記第１軌道輪の外周面との間に形成されている波動歯車装置。
【請求項３】
請求項２において、
前記外歯歯車は、円筒形状の外歯歯車であり、
前記逃がし溝の前記溝幅方向の中心は、前記ボール軌道溝の幅方向の中心に対応する位置にあり、
前記逃がし溝の前記溝幅は前記ボール軌道溝の前記軌道幅と同一であり、
前記逃がし溝の溝深さは、前記溝幅方向の両側の前記溝端から、前記溝幅方向の中心に設けた前記溝最深部に至るまで、漸増している波動歯車装置。
【請求項４】
請求項３において、
前記溝最深部の溝深さは、０．０２ｍｍ以下である波動歯車装置。
【請求項５】
請求項２において、
前記外歯歯車は、円筒状胴部と、当該円筒状胴部の一方の端から半径方向に延びるダイヤフラムと、前記円筒状胴部の他方の端である開口端の側の外周面部分に形成された外歯とを備えたカップ形状あるいはシルクハット形状の外歯歯車であり、
前記逃がし溝の前記溝幅は、前記ボール軌道溝の前記軌道幅よりも広く、
前記逃がし溝の前記溝端のうち、前記開口端の側の前記溝端は、前記ボール軌道溝における前記開口端の側の端に対応する位置にあり、
前記逃がし溝の前記溝最深部は、前記ボールの中心に対応する位置から、前記外歯歯車の外歯の有効歯幅の中心までの間に位置している波動歯車装置。
【請求項６】
請求項５において、
前記逃がし溝の前記溝幅は、前記ボール軌道溝の前記軌道幅の１．１倍以下であり、
前記逃がし溝の前記溝端のうち、前記開口端の側の前記溝端は、前記ボール軌道溝における前記開口端の側の端に対応する位置にあり、
前記逃がし溝の前記溝最深部は、前記ボールの中心に対応する位置から、前記ダイヤフラムの側に向かって、前記軌道幅の０．１倍の距離の位置までの間に位置している波動歯車装置。
【請求項７】
請求項５において、
前記溝最深部の溝深さは、０．０２ｍｍ以下である波動歯車装置。
【発明の詳細な説明】
【技術分野】
【０００１】
本発明は、波動発生器によって非円形に撓められる可撓性歯車に生じる応力を緩和できる波動歯車装置に関する。
【背景技術】
【０００２】
典型的な波動歯車装置は、剛性の内歯歯車、可撓性の外歯歯車、および波動発生器を備えている。波動発生器によって、外歯歯車は半径方向に撓められて、内歯歯車に部分的に噛み合っている。波動発生器を回転させると、両歯車の噛み合い位置が円周方向に移動して、両歯車の間に、それらの歯数差に起因する相対回転が発生する。【０００３】
波動発生器は、一般に、楕円形輪郭の剛性プラグと、この外周面に装着したウエーブベアリングとを備えている。ウエーブベアリングは、半径方向に撓み可能な外輪および内輪と、これらの間に転動可能な状態で装着されている複数個のボールとを備えている。ウエーブベアリングは、剛性プラグの非円形外周面と、外歯歯車の内周面との間に装着され、外歯歯車と剛性プラグを相対回転可能な状態に保持している。【０００４】
例えば、波動発生器の剛性プラグが回転入力要素とされ、内歯歯車あるいは外歯歯車が減速回転出力要素とされる。剛性プラグは、ウエーブベアリングおよび外歯歯車の各部分を繰り返し半径方向に変位させながら、回転する。ウエーブベアリングの内輪が剛性プラグと共に高速回転し、その外輪が外歯歯車と一体となって回転する。内外輪の間に挿入されているボールは、外輪および内輪の軌道面に沿って転動する。これにより、剛性プラグおよび外歯歯車が小さなトルクでスムーズに相対回転可能である。【０００５】
なお、特許文献１には、カップ形状あるいはシルクハット形状の外歯歯車を備えた波動歯車装置が記載されている。特許文献２には、円筒形状の外歯歯車を備えたフラット型波動歯車装置が記載されている。
【先行技術文献】
【特許文献】
【０００６】
【特許文献１】国際公開第２０１６／０９２６３６号
【特許文献２】特開２００９−１５６４６２号公報
【発明の概要】
【発明が解決しようとする課題】
【０００７】
波動歯車装置では、内歯歯車と外歯歯車の噛み合い部分を介してトルク伝達が行われる。外歯歯車の外歯における歯底疲労強度は、伝達トルクを決定する上で重要な要因となる。外歯の歯底疲労強度を高めるためには、歯底に発生する応力を下げることが有効である。外歯歯車を撓めている波動発生器の押圧力（ボール荷重）は、外歯の歯筋方向におけるボール中心位置において大きくなる。波動発生器の押圧力の歯筋方向の分布をなだらかにできれば、外歯歯車の歯底疲労強度および装置の伝達トルク容量の向上に有利である。【０００８】
本発明の目的は、この点に鑑みて、外歯歯車に対する波動発生器の押圧力における歯筋方向の分布をなだらかにして、外歯歯車に生じる応力を低減可能な波動歯車装置を提供することにある。
【課題を解決するための手段】
【０００９】
本発明の波動歯車装置は、剛性歯車と、剛性歯車にかみ合い可能な可撓性歯車と、可撓性歯車を非円形に撓めて剛性歯車に部分的にかみ合わせると共に、かみ合い位置を円周方向に移動させる波動発生器とを備えている。波動発生器は、剛性プラグと、可撓性歯車と剛性プラグの間に装着されるウエーブベアリングとを備えている。また、波動歯車装置は、可撓性歯車とウエーブベアリングとの間の面接触部分に形成した円周方向に延びる１条の逃がし溝を備えている。ウエーブベアリングは、一対の可撓性の軌道輪と、これらの間に装着された複数のボールを備えており、軌道輪の一方は、可撓性歯車との間で面接触部分を形成している第１軌道輪であり、逃がし溝は、可撓性歯車および第１軌道輪のうち、少なくとも、第１軌道輪の可撓性歯車に接触する外周面に形成されている。【００１０】
逃がし溝は、面接触部分において、第１軌道輪に形成されているボール軌道溝に対応する領域、あるいは当該領域を包含する領域に形成されている。逃がし溝の溝幅は、ボール軌道溝の軌道幅と同一あるいは当該軌道幅よりも広い。逃がし溝の溝深さは、溝幅方向の両側の溝端から、溝幅方向の途中に設けた溝最深部に向かって、漸増している。【００１１】
本発明では、可撓性歯車と波動発生器の間の面接触部分に、所定幅の逃がし溝を形成してある。逃がし溝を設けることにより、面接触部分には、可撓性歯車に作用する波動発生器の押圧力が最大となるボール中心を含む領域に、相互に接触していない部分が形成される。歯筋方向において、外歯歯車に作用する押圧力の分布をなだらかにできる。この結果、可撓性歯車の歯底部分に生じる最大応力を低減でき、可撓性歯車の伝達トルク容量を上げることができる。【００１２】
波動歯車装置が、剛性歯車として内歯歯車を備え、可撓性歯車として外歯歯車を備えている場合には、波動発生器は、外歯歯車の内側に同軸に配置され、ウエーブベアリングの外輪の外周面と外歯歯車の内周面との間に、面接触部分が形成される。【００１３】
フラット型波動歯車装置の場合には、通常、外歯の歯筋方向の中心に、ウエーブベアリングのボール中心が位置する。したがって、逃がし溝の溝幅方向の中心を、ボール中心に対応する位置とし、逃がし溝の溝幅をボール軌道溝の幅と同一とすればよい。また、逃がし溝の溝深さを、溝幅方向の両側の溝端から、溝幅方向の中心に設けた溝最深部に至るまで、漸増させる。溝最深部の溝深さは、０．０２ｍｍ以下にすることが望ましい。【００１４】
カップ型あるいはシルクハット型の波動歯車装置の場合には、外歯歯車は、円筒状胴部と、当該円筒状胴部の一方の端から半径方向に延びるダイヤフラムと、円筒状胴部の他方の端である開口端の側の外周面部分に形成された外歯とを備えたカップ形状あるいはシルクハット形状の外歯歯車である。この形状の外歯歯車には、波動発生器によって、コーニングと呼ばれる撓みが生じる。この場合には、外歯の歯筋方向の中心に対して、ウエーブベアリングのボール中心が、外歯歯車の開口端の側にシフトしている場合がある。【００１５】
カップ型あるいはシルクハット型の波動歯車装置の場合には、逃がし溝の溝幅を、ボール軌道溝の幅よりも広くし、逃がし溝の溝端のうち、開口端の側の溝端を、ボール軌道溝における開口端の側の端に対応する位置とし、逃がし溝の溝最深部を、ボール中心に対応する位置から外歯の有効歯幅の中心に対応する位置までの間に位置させる。【００１６】
例えば、ボール軌道溝の軌道幅と同一の幅から、その１．１倍の幅までの範囲内とし、逃がし溝の溝端のうち、開口端の側の溝端を、ボール軌道溝における開口端の側の端に対応する位置とし、逃がし溝の溝最深部を、ボールの中心に対応する位置から、ダイヤフラムの側に向かって、軌道幅の０．１倍の距離の位置までの間に位置させる。このように逃がし溝を形成すると、大きな押圧力が作用する領域に逃がし溝の溝最深部を位置させることができる。この場合においても、溝最深部の溝深さは、０．０２ｍｍ以下にすることが望ましい。【００１７】
なお、個々の装置については、上記の条件を満たす範囲内において、逃がし溝の幅、深さ、形状を、主として、外歯歯車の内周面部分と外輪の外周面との間の接触面圧および縦弾性係数を考慮して決定すればよい。
【図面の簡単な説明】
【００１８】
【図１Ａ】本発明を適用した波動歯車装置の概略端面図である。
【図１Ｂ】図１Ａの波動歯車装置の概略断面図である。
【図２Ａ】図１の逃がし溝が形成されている部分を示す部分拡大断面図である。
【図２Ｂ】逃がし溝の別の例を示す部分拡大断面図である。
【図２Ｃ】逃がし溝の更に別の例を示す部分拡大断面図である。
【図３Ａ】本発明を適用可能な波動歯車装置の例を示す説明図である。
【図３Ｂ】本発明を適用可能な波動歯車装置の例を示す説明図である。
【図３Ｃ】本発明を適用可能な波動歯車装置の例を示す説明図である。
【発明を実施するための形態】
【００１９】
以下に、図面を参照して本発明を適用した波動歯車装置の実施の形態を説明する。以下の実施の形態は、カップ型波動歯車装置に関するものである。しかしながら、本発明は、シルクハット型波動歯車装置およびフラット型波動歯車装置にも、同様に適用可能である。
【００２０】
図１Ａは実施の形態に係る波動歯車装置の概略端面図であり、図１Ｂはその概略縦断面図である。これらの図に示すように、波動歯車装置１は、円環状の剛性の内歯歯車２（剛性歯車）と、この内側に同軸に配置したカップ形状の可撓性の外歯歯車３（可撓性歯車）と、この内側に嵌め込まれた波動発生器４とを備えている。
【００２１】
外歯歯車３は、波動発生器４によって、楕円形状に撓められている。波動発生器４によって撓められた外歯歯車３には、楕円形状における長軸Ｌｍａｘの両端の２か所に、内歯歯車２にかみ合うかみ合い部分が形成される。図１Ａにおいて、一点鎖線で囲む部分が、かみ合い部分５ａ、５ｂである。
【００２２】
波動発生器４がモータ等（図示せず）によって回転すると、両歯車２、３のかみ合い部分５ａ、５ｂが内歯歯車２の円周方向に移動する。かみ合い部分５ａ、５ｂが１周すると、両歯車２、３の歯数差分だけ、両歯車２、３の間に相対回転が生じる。内歯歯車２と外歯歯車３の間の歯数差は２ｎ枚（ｎ：正の整数）であり、例えば、２枚（ｎ＝１）である。例えば、内歯歯車２を回転しないように固定すると、波動発生器４の回転を、外歯歯車３の側から、大幅に減速された減速回転として取り出すことができる。
【００２３】
内歯歯車２は、ほぼ矩形断面をした円環状部材６と、この円環状部材６の円形内周面に形成した内歯７とを備えている。外歯歯車３は、半径方向に撓み可能な円筒状胴部１１と、この円筒状胴部１１の後端１１ａから半径方向の内側に延びている円盤状のダイヤフラム１２と、ダイヤフラム１２の内周縁に繋がっている剛体である円環状のボス１３と、円筒状胴部１１の開口端１１ｂの側の外周面部分に形成した外歯１４とを備えている。
【００２４】
波動発生器４は、円筒状の剛性ハブ２１と、この外周面に取り付けた剛性のウエーブプラグ２２と、ウエーブプラグ２２の楕円状輪郭の外周面２２ａに装着したウエーブベアリング２３とを備えている。ウエーブベアリング２３は、可撓性の外輪２４、可撓性の内輪２５、および、これらの間に転動可能に装着されている複数のボール２６を備えている。ウエーブプラグ２２の外周面２２ａに装着したウエーブベアリング２３の外輪外周面２７は楕円状輪郭に撓められている。外歯歯車３において、円筒状胴部１１の外歯１４が形成されている外歯形成部分１５は、外輪外周面２７によって内側から外方に押圧されて、輪郭形状に対応した楕円形状に撓められている。
【００２５】
ここで、外歯歯車３と波動発生器４との間の面接触部分には、円周方向に延びる１条の逃がし溝３０が形成されている。面接触部分は、外歯歯車３の外歯形成部分１５の内周面部分１６と、波動発生器４のウエーブベアリング２３の外輪外周面２７との間に形成される。逃がし溝３０は、内周面部分１６および外輪外周面２７のうちの少なくとも一方に形成される。本例では、外輪外周面２７に形成されている。
【００２６】
図２Ａは逃がし溝３０が形成されている部分を示す部分拡大断面図である。ウエーブベアリング２３において、外輪２４の内周面には、所定の曲率の湾曲面からなるボール軌道溝２８が形成されている。ボール軌道溝２８は一定の軌道幅ｗ２を備えている。ボール軌道溝２８における幅方向の中心は、ボール中心２６ａに一致している。
【００２７】
逃がし溝３０の溝幅ｗ１は、外輪２４に形成されているボール軌道溝２８の軌道幅ｗ２と同一あるいは、それよりも広い。本例では、軌道幅ｗ２の１．１倍の寸法としてある。
【００２８】
また、逃がし溝３０の溝幅方向（外歯１４の歯筋方向）の両側の溝端３１、３２のうち、外歯歯車３の開口端１１ｂの側の溝端３２は、ボール軌道溝２８における開口端１１ｂの側の端２８ｂに対応する位置とされる。したがって、本例では、逃がし溝３０の他方の溝端３１は、ボール軌道溝２８の他方の端２８ａから軌道幅ｗ２の０．１倍の距離の位置にある。逃がし溝３０における溝幅方向の中心３３は、ボール中心２６ａよりもダイヤフラム側に位置する。
【００２９】
逃がし溝３０の溝最深部３４は、ボール中心２６ａに対応する位置から、外歯１４の有効歯幅ｗ３の中心１４ａに対応する位置までの間に設けてある。本例では、ボール中心２６ａから、ダイヤフラムの側に向かって、軌道幅ｗ２の０．１倍の距離の位置までの間に設けてある。例えば、溝幅方向の中心３３に溝最深部３４が位置する。また、溝最深部３４の溝深さは、０．０２ｍｍ以下に設定されている。さらに、逃がし溝３０の溝深さは、溝幅方向の両側の溝端３１、３２から溝最深部３４に至るまで、漸増している。
【００３０】
本例の波動歯車装置１においては、外歯歯車３と波動発生器４との間の面接触部分に、逃がし溝３０を形成してある。すなわち、外歯歯車３の内周面部分１６とウエーブベアリング２３の外輪外周面２７との間において、ボール真上の位置を包含する部分を、接触しないように相互に逃がしてある（離してある）。外歯歯車３の外歯形成部分１５において、ボール真上の部分に作用する応力を緩和できる。すなわち、ウエーブベアリング２３の側から外歯形成部分１５に作用する押圧力における歯筋方向の分布を平坦化できる。これにより、外歯１４の歯面荷重分布を平坦化でき、歯筋方向の各位置において外歯１４を内歯７に対して適切にかみ合わせることができる。外歯歯車３の歯底疲労強度および装置の伝達トルク容量の向上に有利である。
【００３１】
また、逃がし溝３０は、外歯歯車３の内周面部分とウエーブベアリングの外輪外周面との間に、潤滑剤溜まりとして機能する。これにより、これらの摺動面の潤滑信頼性が向上する。
【００３２】
図２Ｂは、外輪２４の側に逃がし溝を形成した例を示す部分拡大断面図である。この場合においても、逃がし溝３０Ａの溝幅、形状、形成範囲は、逃がし溝３０の場合と同様である。図２Ｃに示すように、外歯歯車３の内周面部分１６および外輪外周面２７の双方に、逃がし溝３０Ｂ、３０Ｃを形成することも可能である。例えば、逃がし溝３０Ｂ、３０Ｃを線対称の形状にする。また、それぞれの溝最深部の溝深さの合計を、０．０２ｍｍ以下にすればよい。なお、図２Ｂ、２Ｃにおいて、図２Ａにおける対応する部位には同一の符号を付してある。
【００３３】
［その他の実施の形態］
図３Ａ、３Ｂ、３Ｃには、本発明を適用可能な波動歯車装置を示してある。図３Ａに示す波動歯車装置１２０は、最も内側に剛性の外歯歯車１２２（剛性歯車）が配置されている。外歯歯車１２２を同心状に取り囲む状態に、円環状の可撓性の内歯歯車１２３（可撓性歯車）が配置されている。内歯歯車１２３を同心状に取り囲む状態に、環状の波動発生器１２４が配置されている。内歯歯車１２３は、波動発生器１２４によって、楕円状に撓められている。波動発生器１２４によって撓められた内歯歯車１２３には、楕円形状の短軸Ｌｍｉｎの両端の２か所に、外歯歯車１２２に対するかみ合い部分１２５ａ、１２５ｂが形成される。
【００３４】
波動発生器１２４は円環状の剛性カム板１２６と、この内側に装着されたウエーブベアリング１２７とを備えている。なお、図示の例では、ウエーブベアリング１２７の外輪は剛性カム板１２６に一体形成されている。例えば、波動発生器１２４をモータなどの回転駆動源によって回転し、外歯歯車１２２を回転しないように固定すると、両歯車１２２、１２３のかみ合い位置が周方向に移動し、両歯車の歯数差に応じた相対回転が両歯車の間に発生する。この回転を内歯歯車１２３から取り出すことができる。
【００３５】
ウエーブベアリング１２７の内輪１２８の内周面１２８ａと、可撓性の内歯歯車１２３の外周面部分１２３ａとの間の面接触部分に、逃がし溝１３０が形成される。逃がし溝１３０は、内周面１２８ａ、外周面部分１２３ａ、あるいは、双方に形成される。
【００３６】
図３Ｂに示す波動歯車装置１４０は、剛性の内歯歯車１４２（剛性歯車）と、この内側に配置されている可撓性の外歯歯車１４３（可撓性歯車）と、この内側に嵌め込まれている非円形輪郭の波動発生器１４４を有している。外歯歯車１４３における外歯が形成されている部分は、波動発生器１４４によって非円形に撓められている。
【００３７】
波動発生器１４４は、非円形輪郭の剛性カム板１４６と、この外周に装着したウエーブベアリング１４７とを備えている。剛性カム板１４６の非円形外周面１４６ａは、真円に対して、その円周方向に沿って等間隔の複数箇所において内接可能な閉曲線によって規定されている。本例では、非円形外周面１４６ａは、三つ葉形状（３ローブ形状）であり、真円に対して、その円周方向に沿って等間隔の３箇所において内接可能な閉曲線によって規定されている。真円に対して、その円周方向に沿って等間隔の４か所以上の複数箇所において内接可能な閉曲線によって非円形外周面を規定することも可能である。
【００３８】
この形状の波動発生器１４４によって、外歯歯車１４３は、当該波動発生器１４４の非円形輪郭に沿った形状に撓められて、１２０°の角度間隔の３か所で、内歯歯車１４２に対するかみ合い部分１４５ａ、１４５ｂ、１４５ｃが形成されている。
【００３９】
波動発生器１４４にはモータ軸などの高速回転入力軸が連結される。波動発生器１４４が回転すると、両歯車１４２、１４３の噛み合い位置が円周方向に移動して、両歯車１４２、１４３の間には、それらの歯数差に起因する相対回転が発生する。例えば、内歯歯車１４２が回転しないように固定され、外歯歯車１４３が負荷側の部材に連結され、外歯歯車１４３から減速回転が取り出されて負荷側の部材に伝達される。この場合の両歯車１４２、１４３の歯数差は３ｎ枚（ｎは正の整数）に設定される。
【００４０】
波動発生器１４４のウエーブベアリング１４７の外輪１４８の外周面１４８ａと、可撓性の外歯歯車１４３の内周面部分１４３ａとの間の面接触部分に、逃がし溝１５０が形成される。逃がし溝１５０は、外周面１４８ａ、内周面部分１４３ａ、あるいは、双方に形成される。
【００４１】
図３Ｃに示す波動歯車装置１６０は、可撓性の内歯歯車１６３（可撓性歯車）が剛性の外歯歯車１６２（剛性歯車）の外側に配置されており、内歯歯車１６３の外周側に、非円形輪郭の内周面を備えた波動発生器１６４が配置されている。
【００４２】
波動発生器１６４は、非円形内周面１６６ａを備えた剛性カム板１６６と、この非円形内周面１６６ａに装着したウエーブベアリング１６７とを備えている。剛性カム板１６６の非円形内周面１６６ａは、真円に対して、その円周方向に沿って等間隔の複数箇所において外接可能な閉曲線によって規定されている。本例では、非円形内周面１６６ａは、三つ葉形状（３ローブ形状）であり、真円に対して、その円周方向に沿って等間隔の３箇所において外接可能な閉曲線によって規定されている。真円に対して、その円周方向に沿って等間隔の４か所以上の複数箇所において外接可能な閉曲線によって非円形内周面を規定することも可能である。
【００４３】
この形状の波動発生器１６４によって、内歯歯車１６３は、当該波動発生器１６４の非円形輪郭に沿った形状に撓められて、１２０°の角度間隔の３か所で、外歯歯車１６２に対するかみ合い部分１６５ａ、１６５ｂ、１６５ｃが形成される。例えば、波動発生器１６４をモータなどの回転駆動源によって回転し、外歯歯車１６２を回転しないように固定しておくと、両歯車１６２、１６３のかみ合い位置が周方向に移動し、両歯車の歯数差に応じた相対回転が両歯車の間に発生する。この回転を内歯歯車１６３から取り出すことができる。この場合の両歯車１６２、１６３の歯数差は３ｎ枚（ｎは正の整数）に設定される。
【００４４】
波動発生器１６４のウエーブベアリング１６７の内輪１６８の内周面１６８ａと、可撓性の内歯歯車１６３の外周面部分１６３ａとの間の面接触部分に、逃がし溝１７０が形成される。逃がし溝１７０は、内周面１６８ａ、外周面部分１６３ａ、あるいは、双方に形成される。
【図１Ａ】
2019030843.tif 000003
【図１Ｂ】
2019030843.tif 000004
【図２Ａ】
2019030843.tif 000005
【図２Ｂ】
2019030843.tif 000006
【図２Ｃ】
2019030843.tif 000007
【図３Ａ】
2019030843.tif 000008
【図３Ｂ】
2019030843.tif 000009
【図３Ｃ】
2019030843.tif 000010
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
剛性歯車と、
前記剛性歯車にかみ合い可能な可撓性歯車と、
前記可撓性歯車を非円形に撓めて前記剛性歯車に部分的にかみ合わせると共に、かみ合い位置を円周方向に移動させるために、剛性プラグと、前記可撓性歯車と前記剛性プラグの間に装着されるウエーブベアリングとを備えた波動発生器と、
前記可撓性歯車と前記ウエーブベアリングとの間の面接触部分に形成した円周方向に延びる１条の逃がし溝と
を有しており、
前記ウエーブベアリングは、一対の可撓性の軌道輪と、これらの間に装着された複数のボールとを備えており、前記軌道輪の一方は、前記可撓性歯車との間で前記面接触部分を形成している第１軌道輪であり、
前記逃がし溝は、前記可撓性歯車および前記第１軌道輪のうち、少なくとも、前記第１軌道輪の前記可撓性歯車に接触する外周面に形成されており、
前記逃がし溝は、前記面接触部分において、前記第１軌道輪に形成されているボール軌道溝に対応する領域に形成されており、
前記逃がし溝の溝幅は、前記ボール軌道溝の軌道幅と同一であり、
前記逃がし溝の溝深さは、溝幅方向の両側の溝端から、前記溝幅方向の途中に設けた溝最深部に向かって、漸増しており、
前記剛性歯車は内歯歯車であり、
前記可撓性歯車は、前記内歯歯車の内側に同軸に配置した外歯歯車であり、
前記波動発生器は、前記外歯歯車の内側に同軸に配置されており、
前記第１軌道輪は外輪であり、
前記面接触部分は、前記可撓性歯車の内周面と前記第１軌道輪の外周面との間に形成されており、
前記外歯歯車は、円筒形状の外歯歯車であり、
前記逃がし溝の前記溝幅方向の中心は、前記ボール軌道溝の幅方向の中心に対応する位置にあり、
前記逃がし溝の溝深さは、前記溝幅方向の両側の前記溝端から、前記溝幅方向の中心に設けた前記溝最深部に至るまで、漸増している波動歯車装置。
【請求項４】
請求項３において、
前記溝最深部の溝深さは、０．０２ｍｍ以下である波動歯車装置。
【請求項５】
剛性歯車と、
前記剛性歯車にかみ合い可能な可撓性歯車と、
前記可撓性歯車を非円形に撓めて前記剛性歯車に部分的にかみ合わせると共に、かみ合い位置を円周方向に移動させるために、剛性プラグと、前記可撓性歯車と前記剛性プラグの間に装着されるウエーブベアリングとを備えた波動発生器と、
前記可撓性歯車と前記ウエーブベアリングとの間の面接触部分に形成した円周方向に延びる１条の逃がし溝と
を有しており、
前記ウエーブベアリングは、一対の可撓性の軌道輪と、これらの間に装着された複数のボールを備えて、前記軌道輪の一方は、前記可撓性歯車との間で前記面接触部分を形成している第１軌道輪であり、
前記逃がし溝は、前記可撓性歯車および前記第１軌道輪のうち、少なくとも、前記第１軌道輪の前記可撓性歯車に接触する外周面に形成されており、
前記逃がし溝は、前記面接触部分において、前記第１軌道輪に形成されているボール軌道溝に対応する領域を包含する領域に形成されており、
前記逃がし溝の溝幅は、前記ボール軌道溝の軌道幅よりも広く、
前記逃がし溝の溝深さは、溝幅方向の両側の溝端から、前記溝幅方向の途中に設けた溝最深部に向かって、漸増しており、
前記剛性歯車は内歯歯車であり、
前記可撓性歯車は、前記内歯歯車の内側に同軸に配置した外歯歯車であり、
前記波動発生器は、前記外歯歯車の内側に同軸に配置されており、
前記第１軌道輪は外輪であり、
前記面接触部分は、前記可撓性歯車の内周面と前記第１軌道輪の外周面との間に形成されており、
前記外歯歯車は、円筒状胴部と、当該円筒状胴部の一方の端から半径方向に延びるダイヤフラムと、前記円筒状胴部の他方の端である開口端の側の外周面部分に形成された外歯とを備えたカップ形状あるいはシルクハット形状の外歯歯車であり、
前記逃がし溝の前記溝端のうち、前記開口端の側の前記溝端は、前記ボール軌道溝における前記開口端の側の端に対応する位置にあり、
前記逃がし溝の前記溝最深部は、前記ボールの中心に対応する位置から、前記外歯歯車の外歯の有効歯幅の中心までの間に位置している波動歯車装置。
【請求項６】
請求項５において、
前記逃がし溝の前記溝幅は、前記ボール軌道溝の前記軌道幅の１．１倍以下であり、
前記逃がし溝の前記溝端のうち、前記開口端の側の前記溝端は、前記ボール軌道溝における前記開口端の側の端に対応する位置にあり、
前記逃がし溝の前記溝最深部は、前記ボールの中心に対応する位置から、前記ダイヤフラムの側に向かって、前記軌道幅の０．１倍の距離の位置までの間に位置している波動歯車装置。
【請求項７】
請求項５において、
前記溝最深部の溝深さは、０．０２ｍｍ以下である波動歯車装置。
【国際調査報告】
2019030843.tif 000011
2019030843.tif 000012
2019030843.tif 000013
2019030843.tif 000014